(57)【要約】【課題】公衆網交換機と端末装置が接続される際の過渡電流を防止する。【解決手段】端末装置３００の電源を、通信装置２００の電源回路部５０とするかまたは公衆網交換機４００とするかを選択する切替回路４０と、電源回路部５０との間に、電源回路部５０から切替回路４０への給電極性を切り替える切替回路１６０を設ける。回線部７０で極性反転を検出した際に、切替回路１６０を切替え、端末部３０と回線部７０との給電極性が一致した後、切替回路４０を切替える。【選択図】図１
2008187732.tif 000002
【特許請求の範囲】
【請求項１】
公衆網交換機と端末装置間に接続される通信装置において、電流を供給する電源回路部と、
前記端末装置の電源を、前記通信装置の前記電源回路部とするかまたは前記公衆網交換機とするかを選択する第１の切替回路部と、
前記電源回路部および前記第１の切替回路部に接続され、前記電源回路部から前記第１の切替回路部への給電極性を切り替える第２の切替回路部と、
待機状態から着信状態への移行時に、前記通信装置と前記公衆網交換機とを接続する回線の極性反転を検出し、検出信号を送信する回線モニタ部と、
前記検出信号の受信に応じて、前記第２の切替回路部に、前記電源回路部からの給電を反転させるよう指示し、前記第１の切替回路部に、前記公衆網交換機との接続を指示する制御部
とを有することを特徴とする通信装置。
【請求項２】
公衆網交換機と端末装置間に接続される通信装置の接続制御方法において、
待機状態から着信状態への移行時に、前記通信装置と前記公衆網交換機との接続点である回線部における極性反転を検出した際に、前記通信装置内の電源回路部から前記端末装置への給電極性を切替え、前記通信装置と前記端末装置の接続点である端末部と、前記回線部との給電極性が一致した後、
前記端末装置の電源を、前記電源回路部から前記公衆網交換機へ切替えることを特徴とする通信装置の接続制御方法。
【発明の詳細な説明】
【技術分野】
【０００１】
本発明は、公衆網交換機と電話機・ＦＡＸ等の端末装置間に接続される通信装置および通信装置の接続制御方法に関するものである。
【背景技術】
【０００２】
図３は、従来の通信装置の構成を示すブロック図である。
待機状態では回線部７０には公衆網交換機４００よりノーマル給電（Ｌ１側：−、Ｌ２側：＋）され、端末部３０にも電源回路部５０よりノーマル給電（Ｔ１側：−、Ｔ２側：＋）されている。
【０００３】
着信状態に移行すると、回線部７０では、公衆網交換機４００からの極性反転信号によりレバース給電（Ｌ１側：＋、Ｌ２側−）に変わる。回線モニタ部１００では回線電圧による極性反転信号を検出して、制御部１２０に通知する。制御部１２０では回線部７０と端末部３０間をスルー状態にする為、切替回路部４０を切替える。したがって、公衆網交換機４００からの着信信号が端末装置３００に接続さる。
【０００４】
発信状態では、端末装置３００からのオフフック状態を、通話電流により監視している端末モニタ部８０で検出して、制御部１２０に通知する。制御部１２０ではトーン送出部１１２からＤＴ音を送出し、端末装置３００でそのＤＴ音を確認し、続けてダイヤル番号を発信する。そのダイヤル番号を、ＤＰの場合は端末モニタ部８０で、ＰＢの場合はＤＴＭＦ検出部１１３でそれぞれ検出する。制御部１２０は、発信動作の為、直流ループ回路の開閉制御を行っている直流ループ駆動部９０に対して直流ループ回路を閉じて、公衆網交換機４００からのＤＴ音をトーン検出部１１１で検出する。その後、ＤＰの場合は直流ループ駆動部９０より、ＰＢの場合はＤＴＭＦ送出部１１４よりＬＣＲ番号を付加したダイヤル番号を発信する。それを受けて、リングバックトーンが公衆網交換機４００から送出され、相手応答を検出すると、極性反転信号が公衆網交換機４００から送出される。以下の接続動作は、着信状態に移行した場合と同じである。
【発明の開示】
【発明が解決しようとする課題】
【０００５】
しかしながら、上記従来の通信装置では、待機状態から着信状態に移行する場合、回線部７０と端末部３０が個別の給電極性を持っている為、公衆網交換機４００から送出される着信信号前の極性反転信号により、回線部７０と端末部３０の給電極性が逆になる。よって、制御部１２０からの制御で切替回路部４０が回線部７０と端末部３０間をスルー状態にすると、端末部３０ではそれまで端末装置３００内部の静電容量に充電された電荷が一時的に放電、充電される。そのため、端末モニタ部８０や回線モニタ部１００や公衆網交換機４００に過渡電流が流れ、端末装置３００の応答誤検出の要因となっていた。
【０００６】
また、過渡電流が流れるのを防止する為に、一定時間は極性反転を監視しない方法もあったが、処理時間が長くなってしまい、技術的に満足できるものではなかった。
【課題を解決するための手段】
【０００７】
本発明は、上記の課題を解決するために、公衆網交換機と端末装置間に接続される通信装置において、電流を供給する電源回路と、前記端末装置の電源を、前記通信装置の前記電源回路とするかまたは前記公衆網交換機とするかを選択する第１の切替回路と、前記電源回路および前記第１の切替回路に接続され、前記電源回路から前記第１の切替回路への給電極性を切り替える第２の切替回路と、待機状態から着信状態への移行時に、前記通信装置と前記公衆網交換機とを接続する回線の極性反転を検出し、検出信号を送信する回線モニタ部と、前記検出信号の受信に応じて、前記第２の切替回路部に、前記電源回路部からの給電を反転させるよう指示し、前記第１の切替回路部に、前記公衆網交換機との接続を指示する制御部を有する。
【発明の効果】
【０００８】
本発明によると、公衆網交換機と端末装置間に接続される通信装置において、電流を供給する電源回路と、端末装置の電源を、通信装置の前記電源回路とするかまたは公衆網交換機とするかを選択する第１の切替回路と、電源回路および第１の切替回路に接続され、電源回路から第１の切替回路への給電極性を切り替える第２の切替回路と、待機状態から着信状態への移行時に、通信装置と公衆網交換機とを接続する回線の極性反転を検出し、検出信号を送信する回線モニタ部と、検出信号の受信に応じて、第２の切替回路部に、電源回路部からの給電を反転させるよう指示し、第１の切替回路部に、公衆網交換機との接続を指示する制御部を設けたことにより、第２の切替回路の動作に応じて公衆網交換機と端末装置の給電極性を一致させることができる。よって、過渡電流が発生しないため、公衆網交換機の誤動作が防止できる。さらに、従来行っていた、過渡電流を防止するための一定時間極性反転を監視しない処理を行う必要が無いため、処理の高速化が実現できる。
【発明を実施するための最良の形態】
【０００９】
以下、本発明の第１および第２の実施例を図１および図２を参照しつつ詳細に説明する。
【実施例１】
【００１０】
図１は本発明の通信装置における第1の実施の形態を示すブロック図である。図１において、電話機、ＦＡＸ等の端末装置３００は通信装置２００を介して、公衆網交換機４００に接続されている。
【００１１】
通信装置２００において、商用電源と接続される電源部１０は、商用電源から電圧変換する電源トランス２０の一次側と接続され、電源トランス２０の二次側は、端末装置３００に供給する電源（−４８Ｖ）や装置内で使用する電源を生成する電源回路部５０と接続されている。
【００１２】
端末装置３００とモジュラーコネクタ等で接続される端末部３０は、Ｔ１側は端末モニタ部８０経由で、Ｔ２側は直接切替回路部４０と接続されている。ここで、端末モニタ部８０は、端末装置３００の通話電流を監視する事でオンフック／オフフック情報やＤＰダイヤル情報を取り込み、 ＣＰＵ等から成る制御部１２０へ通知するものである。また、切替回路部４０は、端末装置３００に給電する電源を通信装置２００または公衆網交換機４００のどちらかに選択する為のリレー等で構成されている。
【００１３】
切替回路部４０は、切替に応じて、公衆網交換機４００とモジュラーコネクタ等で接続されている回線部７０または、切替回路部１６０と接続される。切替回路部１６０は、端末装置３００に給電する電源の極性を切替える為のリレー等で構成される。なお、切替回路部４０を第1の切替回路部、切替回路部１６０を第2の切替回路部とする。切替回路部１６０は電源回路部５０と接続される。
【００１４】
回線部７０は、公衆網交換機４００とのインピーダンス整合等の役目を果たす回線トランス６０の一次側と、直流ループ回路の開閉を行う直流ループ駆動部９０と、回線の極性を監視する回線モニタ部１００に接続される。回線トランス６０の二次側と電源回路部５０は、 ＤＴ等の各種トーンを検出／生成するトーン検出部１１１／トーン送出部１１２、ＤＴＭＦ信号の検出／生成するＤＴＭＦ検出部１１３／ＤＴＭＦ送出部１１４、ＬＣＲデータをダウンロード通信する場合に使用するモデム部１１５で構成されるＬＣＲ制御部１１０と接続される。
【００１５】
制御部１２０は、切替回路部４０、切替回路部１６０、端末モニタ部８０、直流ループ駆動部９０、回線モニタ部１００、ＬＣＲ制御部１１０、 ＬＣＤ・ＬＥＤ等から成る表示部１３０、スイッチ、キー等から成る操作部１４０、 ＲＯＭ、ＲＡＭ等から成るメモリ部１５０と接続されている。
【００１６】
次に、動作について説明する。
待機状態では、回線部７０にノーマル給電（Ｌ１側：−、Ｌ２側：＋）されており、端末部３０にも切替回路部４０および切替回路部１６０を経由してノーマル給電（Ｔ１側：−、Ｔ２側：＋）されている。
【００１７】
着信状態になると、回線部７０は公衆網交換機４００からの極性反転信号によりレバース給電（Ｌ１側：＋、Ｌ２側：−）になる。回線モニタ部１００は、極性反転を検出すると、制御部１２０へ極性反転を通知するための検出信号を送出する。制御部１２０は、検出信号を受けると、切替回路部１６０を切替える。そして、端末装置３００に対してレバース給電（Ｔ１側：＋、Ｔ２側：−）されると、制御部１２０は切替回路部４０を切替える。
【００１８】
従って切替回路部４０を切替える際に、端末装置３００の静電容量はレバース極性で充電されており、回線部７０と端末部３０の給電極性が一致するので、端末モニタ部８０や回線モニタ部１００、公衆網交換機４００に過渡電流が流れない。
【００１９】
このように、端末部３０の給電極性を自由に設定する事が出来ることで、着信状態移行時に発生する極性反転による給電極性不一致を解消できる。よって、着信状態移行時に端末モニタ部８０や回線モニタ部１００、公衆網交換機４００に過渡電流が流れる問題が解決でき、公衆網交換機４００の誤動作防止ができる。さらに、従来行っていた、過渡電流を防止するための一定時間監視しない処理が必要無いため、すぐに端末装置３００と公衆網交換機４００とをスルー状態にでき、処理時間の高速化が実現できる。
【００２０】
また、待機状態時に予め端末部３０の給電極性を切替回路部１６０で切替えてレバース給電（Ｔ１側：＋、Ｔ２側：−）にすると、着信状態になった場合に、切替回路部４０を切替えるのみで、上述と同じ効果を得られる。
【実施例２】
【００２１】
図２は本発明の通信装置における第２の実施の形態を示すブロック図である。図２について、第1の実施例と異なる部分の構成について説明する。
【００２２】
通信装置２００において、端末部３０は、Ｔ１側は端末モニタ部８０経由で、Ｔ２側は直接切替回路部４０と接続され、さらにＴ１側にスイッチ１７０、Ｔ２側に抵抗１８０が接続されている。また、スイッチ１７０の切替によって、スイッチ１７０と抵抗１８０が接続される。切替回路部４０は切替えに応じて電源回路５０または回線部７０に接続される。
【００２３】
次に動作について、第１の実施例と異なる点を説明する。
着信状態になり、制御部１２０が極性反転の検出信号を受けると、スイッチ１７０を切替え、端末装置３００に対して抵抗１８０を終端させる。よって、端末部３０ではノーマル給電により充電されていた電荷が抵抗１８０に一旦放電する。その後、制御部１２０はスイッチ１７０を元に戻し、切替回路部４０を切替え、端末装置３００へリバース給電（Ｔ１側：＋、Ｔ２側：−）する。
【００２４】
このように、端末装置３００の静電容量により充電された電荷を抵抗１８０で一旦放電することで、端末モニタ部８０や回線モニタ部１００、公衆網交換機４００に流れる過渡電流を低減できる。よって、第１の実施例同様、公衆網交換機４００の誤動作防止および、処理時間の高速化が実現できる。
【図面の簡単な説明】
【００２５】
【図１】本発明の通信装置における第1の実施の形態を示すブロック図である。
【図２】本発明の通信装置における第２の実施の形態を示すブロック図である。
【図３】従来の通信装置の構成を示すブロック図である。
【符号の説明】
【００２６】
３０ 端末部
４０ 切替回路部
５０ 電源回路部
７０ 回線部
８０ 端末モニタ部
１００ 回線モニタ部
１２０ 制御部
１６０ 切替回路部
１７０ スイッチ
１８０ 抵抗
２００ 通信装置
３００ 端末装置
４００ 公衆網交換機
【図１】
2008187732.tif 000003
【図２】
2008187732.tif 000004
【図３】
2008187732.tif 000005